(57)【要約】【課題】  軽量でありながら安定性を確保でき、更に簡単に組み立てることができて、ガーデニング用の飾り付け用の台として使用できるガーデニング用立て置きボードの提供。【解決手段】  １対の立板部材１，１と、この１対の立板部材を下端が開いた二等辺三角形の立て置き状態に支持させる横渡し部材２と、収容した錘材の重量により前記１対の立板部材を二等辺三角形の立て置き状態に安定保持させるように吊り紐３０で吊り下げられる錘用袋部材３を備え、１対の立板部材が、プラスチックシートを熱成形して、多数のキャップ状の凹み１５ａを有するキャップシート１５を形成し、このキャップシートの片面又は両面にプラスチックのライナーシート１６，１７を貼り合わせてなるプラスチック気泡ボードで形成され、１対の立板部材に、ガーデニング用の植木鉢や植生ポット等を係止させるための係止用孔１０が形成されている。【選択図】  図１
0003107110.tif 000002
【実用新案登録請求の範囲】
【請求項１】
上端縁同士が折り畳み可能に連結された１対の立板部材と、
前記１対の立板部材の下端部間に渡すことで、この１対の立板部材を下端が開いた二等辺三角形の立て置き状態に支持させる横渡し部材と、
内部に錘材を収容させるための袋体に形成され、前記１対の立板部材の上端連結部に吊り紐で吊り下げられて、収容した錘材の重量により前記１対の立板部材を二等辺三角形の立て置き状態に安定保持させるようにした錘用袋部材を備え、
前記１対の立板部材が、プラスチックシートを熱成形して、多数のキャップ状の凹みを有するキャップシートを形成し、このキャップシートの片面又は両面にプラスチックのライナーシートを貼り合わせてなるプラスチック気泡ボードで形成され、
かつ前記１対の立板部材に、ガーデニング用の植木鉢や植生ポット等を係止させるための係止用孔が形成されていることを特徴としたガーデニング用立て置きボード。
【考案の詳細な説明】
【技術分野】
【０００１】
本考案は、ガーデニング用の植木鉢や植生ポットや装飾物等の飾り付け用台として使用でき、特に、プラスチック気泡ボードを材料として形成したガーデニング用立て置きボードに関する。
【背景技術】
【０００２】
従来、プラスチックシートを熱成形して、多数のキャップ状の凹みを有するキャップシートを形成し、このキャップシートの片面又は両面にプラスチックのライナーシートを貼り合わせてなるプラスチック気泡ボードが提案されている（特許文献１、特許文献２参照）。
このプラスチック気泡ボードは、軽量でありながら剛性が高く、包装箱や自動車部品などとして使用され、また、コンクリート打設のための型枠材料として、従来のベニヤ板に代えて使用することが試みられている。
【０００３】
近年、手軽にできる趣味としてガーデニングが普及している。
このガーデニングにおいては、植物の育成方法等、頭を使った知識以外に、土いじり、植木鉢や植生ポット等の組み立て、設置、飾り付け等、身体を使った体力も必要である。
ガーデニングは、主に女性、特に主婦層を中心として普及しており、このような女性層にとっては、体力を使った力作業は、どうしても敬遠され勝ちになる。
【０００４】
従来、ガーデニング用の植木鉢や植生ポット等の飾り付け用の台としては、植木鉢を載せ置くための棚やラックが用いられているが、これらは、何れも重量が重く、また、組み立てが複雑であるし、力の要る体力作業を必要としていた。
【０００５】
このような従来の棚やラック等による飾り付け用の台では、非力な人にとっては、その持ち運びや組み立てに多大な労力を必要とするもので、これに対処するために、軽量でありながら強度を保持し、更に組み立てが簡単な飾り付け用の台が要求されるようになった。
【０００６】
なお、従来、ガーデニング用の飾り付け用の台を、前記したプラスチック気泡ボードにより形成したものは見受けられない。
【特許文献１】特許公開２００４−０９８５４４号公報
【特許文献２】特許公開２００２−３３７２５７号公報
【考案の開示】
【考案が解決しようとする課題】
【０００７】
本考案は、前記したプラスチック気泡ボードが、軽量でありながら剛性が高く、又、耐久性、耐侯性、耐薬品性に優れている点に着目して、このプラスチック気泡ボードを用いて、ガーデニング用の飾り付け用の台を形成したものである。
だだ、前記プラスチック気泡ボードは、軽量であるがため、これを用いてガーデニング用の飾り付け用の台を形成した場合に、風等で飛ばされないように、その安定性を確保させることが重要になる。
【０００８】
そこで、本考案では、軽量でありながら安定性を確保でき、更に簡単に組み立てることができて、ガーデニング用の飾り付け用の台として使用できるガーデニング用立て置きボードを提供することを課題としている。
【課題を解決するための手段】
【０００９】
上記の課題を解決するために、本考案のガーデニング用立て置きボードは、
上端縁同士が折り畳み可能に連結された１対の立板部材と、
前記１対の立板部材の下端部間に渡すことで、この１対の立板部材を下端が開いた二等辺三角形の立て置き状態に支持させる横渡し部材と、
内部に錘材を収容させるための袋体に形成され、前記１対の立板部材の上端連結部に吊り紐で吊り下げられて、収容した錘材の重量により前記１対の立板部材を二等辺三角形の立て置き状態に安定保持させるようにした錘用袋部材を備え、
前記１対の立板部材が、プラスチックシートを熱成形して、多数のキャップ状の凹みを有するキャップシートを形成し、このキャップシートの片面又は両面にプラスチックのライナーシートを貼り合わせてなるプラスチック気泡ボードで形成され、
かつ前記１対の立板部材に、ガーデニング用の植木鉢や植生ポット等を係止させるための係止用孔が形成されている構成とした。
【考案の効果】
【００１０】
本考案のガーデニング用立て置きボードは、軽量でありながら剛性が高いプラスチック気泡ボードを用いて１対の立板部材を形成し、そして、横渡し部材を利用することにより、１対の立板部材を安定な姿勢である二等辺三角形の立て置き状態に組み立て、更に、その二等辺三角形の立て置き状態を錘用袋部材を利用することによって安定保持させることができる。
【００１１】
このような安定構造を構成したことによって、軽量でありながら剛性が高いプラスチック気泡ボードを用いることが可能となり、したがって、非力な人でも持ち運びが簡単になるし、また、ガーデニング用の飾り付け用の台として簡単に組み立てることができる。
【考案を実施するための最良の形態】
【００１２】
以下、本考案の実施の形態を図面に示す実施例により説明する。
図１は本実施例のガーデニング用立て置きボードの組み立て状態を示す斜視図、図２はその断面図、図３は１対の立板部材を平面状に展開させた平面図、図４はプラスチック気泡ボードの構造を示す部分分解断面図である。
【００１３】
本実施例のガーデニング用立て置きボードＡは、１対の立板部材１，１と、横渡し部材２と、錘用袋部材３を主要な構成として備えている。
【００１４】
前記１対の立板部材１，１は、正面視でやや縦長の長方形状に形成され、その上端縁同士が折り畳み可能に連結されている。
又、この１対の立板部材１，１には、ガーデニング用の植木鉢９０や植生ポット９１等を係止フック８等（例えば、Ｓ字フック等）を利用して係止させるための係止用孔１０が形成されている。なお、この係止用孔１０の形状や個数、配置等は、任意である。
【００１５】
前記１対の立板部材１，１は、プラスチック気泡ボード１ａで形成され、この場合、図３に示すように、１対の立板部材１，１を平面状に展開させた形状にプラスチック気泡ボードを裁断して、その中央位置にＶ字金型でプレス加工したＶ字折り線１１を形成させ、そのＶ字折り線１１を介して、前記１対の立板部材１，１が折り畳み可能に連結された構造になっている。
【００１６】
なお、前記１対の立板部材１，１の両側縁及び底縁には、プラスチックや軽量金属による断面コ字状の縁取り型材１２が嵌め込まれている。
【００１７】
前記プラスチック気泡ボード１ａは、図４に示すように、プラスチックシートを熱成形して、多数のキャップ状の凹み１５ａを有するキャップシート１５を形成し、このキャップシート１５の両面（片面でも可）にプラスチックのライナーシート１６，１７を貼り合わせて形成したもので、軽量でありながら剛性が高く、又、耐久性、耐侯性、耐薬品性に優れているという特性を有している。
【００１８】
プラスチック気泡ボード１ａの製造は、キャップシート１５の製造から始まる。このキャップシート１５の製造技術として実用化されているのは、キャップの形状の孔を設けたゴム製の無端ベルトを循環させ、その上に熱可塑状態にあるプラスチックシートを載せ、孔の底から真空吸引してキャップを形成する。
引き続いて、キャップシート１５の下面にライナーシート１６を熱接着で貼り合わせ、次に、上面にライナーシート１７を熱接着で貼り合わせて、三層構成のプラスチック気泡ボードを製造する。
なお、キャップシートの片面だけにライナーシートを熱接着で貼り合わせた二層構成のプラスチック気泡ボードを用いることができる。
【００１９】
また、プラスチック気泡ボード１ａの材料とするプラスチックとしては、ポリオレフィンが好適であって、とくに高密度ポリエチレンが最適であるが、ポリプロピレンも有用であり、ポリエステルも使用可能である。そのほか、ポリスチレンやポリカーボネート、さらにはＡＢＳ樹脂など、任意のプラスチックを、選択使用することができる。
【００２０】
次に、前記横渡し部材２は、前記１対の立板部材１，１の下端部間に渡すことで、この１対の立板部材１，１を下端が開いた二等辺三角形の立て置き状態に支持させるための部材である。
この実施例の横渡し部材２は、前記プラスチック気泡ボード１ａを用いて形成され、その両端に接着用折り代２０が形成されて、その接着用折り代２０に両面接着テープ２１が張り付けられている。
【００２１】
使用に際しては、前記１対の立板部材１，１を、下端が開いた二等辺三角形の状態に立て置き、その状態で、横渡し部材２の両端を両面接着テープ２１，２１により１対の立板部材１，１の下端部内面に貼り付けて、前記１対の立板部材１，１の下端部間に渡すものである。
このような簡単な作業で、１対の立板部材１，１を下端が開いた二等辺三角形の立て置き状態に支持させることができる。
【００２２】
なお、横渡し部材２としては、プラスチック気泡ボード１ａを用いて形成する以外に、パイプ材等を用いて形成してもよいし、立板部材１との連結についても、両面接着テープ２１以外に、熱接合やビス止め等を用いることができる。
【００２３】
次に、前記錘用袋部材３は、内部に錘材（図示省略）を収容させるための袋体に形成されている。
この場合の袋体としては、メッシュ袋でも良いし、布やシートによる巾着袋でもよく、錘材を収容可能であって、錘材の非収容状態では折り畳み可能な袋体であれば、その材質、形状は問わない。
【００２４】
又、錘材としては、砂、小石、石、土、コンクリート片、金属片、水等のガーデニング環境に存在するものを用いるのが好ましいが、その他のものを用いることができるし、その重量についても、１ｋｇ、２ｋｇ、３ｋｇ、４ｋｇ、５ｋｇ等、必要に応じて任意に決めればよい。
【００２５】
前記錘用袋部材３には、吊り下げ用の吊り紐３０が取り付けられており、この吊り紐３０を利用して錘用袋部材３を前記１対の立板部材１，１の上端連結部を形成するＶ字折り線１１上に吊り下げるようにしている。
この実施例では、前記Ｖ字折り線１１上に２個の孔１３，１３を形成し、この２個の孔１３，１３に吊り紐３０を通して吊り下げるようになっている。
【００２６】
使用に際しては、前記１対の立板部材１，１を、前記したように、横渡し部材２によって、下端が開いた二等辺三角形の立て置き状態にさせ、この状態で、吊り紐３０を２個の孔１３，１３に通して錘用袋部材３を１対の立板部材１，１の内面の空間に吊り下げ、その内部に錘材としての砂や小石等を収容させるものである。
このように、１対の立板部材１，１を下端が開いた二等辺三角形の立て置き状態にさせて、錘用袋部材３に収容した錘材の重量を加えるため、前記１対の立板部材１，１をその立て置き状態に安定保持させることができるし、その組み立て、設置作業を簡単に行なうことができる。
【００２７】
このようにして、１対の立板部材１，１を二等辺三角形の立て置き状態に組み立てて、これを所定の場所に設置させるもので、後は、図１に示すように、前記係止用孔１０に係止フックを係止させ、この係止フックを利用して、例えば、植木鉢９０や植生ポット９１や装飾品を立板部材１，１の面に飾り付けるなど、本考案のガーデニング用立て置きボードＡをガーデニング用の飾り付け用の台として使用することができる。
なお、このガーデニング用立て置きボードＡは、ガーデニング用の飾り付け用の台として使用できるように構成したものであるが、例えば、植木鉢９０を飾り付けると共に、立板部材１の表面に店舗の名前等を表示させて、店舗の入口に立てる看板として使用するなど、使用者のアイデア如何により様々な用途に利用できるものである。
【００２８】
又、本考案のガーデニング用立て置きボードＡは、ＤＩＹ用品として、ホームセンターや花屋等で市販に供することができるもので、この場合、１対の立板部材１，１と、横渡し部材２と、錘用袋部材３、それに縁取り型材１２、係止用孔に引っ掛けるための係止フック８（例えば、Ｓ字フック等）を１セットとして販売することができる。
このとき、１対の立板部材１，１が折り畳み可能であり、また、横渡し部材２が板状（プラスチック気泡ボード）又はパイプ状であり、また、錘用袋部材３が袋体であるため、コンパクトに梱包することができる。
【図面の簡単な説明】
【００２９】
【図１】本実施例のガーデニング用立て置きボードの組み立て状態を示す斜視図である。
【図２】その側面図である。
【図３】１対の立板部材を平面状に展開させた平面図である。
【図４】プラスチック気泡ボードの構造を示す部分分解断面図である。
【符号の説明】
【００３０】
１  立板部材
１ａ  プラスチック気泡ボード
１０  係止用孔
１１  Ｖ字折り線（上端連結部）
１２  縁取り型材
１３  孔
１５  キャップシート
１５ａ  凹み
１６  ライナーシート
１７  ライナーシート
２  横渡し部材
２０  接着用折り代
２１  両面接着テープ
３  錘用袋部材
３０  吊り紐
８  係止フック
９０  植木鉢
９１  植生ポット
Ａ  ガーデニング用立て置きボード
【図１】
0003107110.tif 000003
【図２】
0003107110.tif 000004
【図３】
0003107110.tif 000005
【図４】
0003107110.tif 000006